(57)【要約】      （修正有）【課題】盆飾り用品における牛馬飾りを犬や猫などのペットを模したペット型牛馬飾りと、それを使用したペット専用の盆飾りセットを提供する。【解決手段】ペット型牛馬飾り２１は、盆飾り用品における精霊があの世とこの世を行き来する乗り物とされる牛馬飾りを、真菰（まこも）や精麻などの天然素材または化学繊維素材の何れかまたはその組み合わせによりペット型に成形した構成を採り、かかるペット型牛馬飾り２１と敷物（茣蓙）２５を組み合わせてペット用盆飾りセット２０が構成される。【選択図】図３
0003200295.tif 000002
【実用新案登録請求の範囲】
【請求項１】
盆飾り用品における精霊があの世とこの世を行き来する乗り物とされる牛馬飾りを、真菰（まこも）や精麻などの天然素材または化学繊維素材の何れかまたはその組み合わせによりペット型に成形したことを特徴とするペット型牛馬飾り。
【請求項２】
前記ペット型牛馬飾りに、首飾り帯または胴飾り帯が装着されて成ることを特徴とする請求項１記載のペット型牛馬飾り。
【請求項３】
前記請求項１または請求項２記載のペット型牛馬飾りに、敷物（茣蓙）が組み合わされて構成されることを特徴とするペット用盆飾りセット。
【請求項４】
前記ペット用盆飾りセットに、蓮葉飾り、麻がら、真菰縄、精霊棚、かわらけ、線香、生花または造花、のうち一乃至複数が選択的に組み合わされて構成されることを特徴とする請求項３記載のペット用盆飾りセット。
【考案の詳細な説明】
【技術分野】
【０００１】
本考案は、盆飾りに関し、詳しくは、盆飾り用品における牛馬飾りを犬や猫などのペット型としたペット専用の盆飾りに関する。
【背景技術】
【０００２】
亡くなった故人やご先祖様を祀って生前の思いを偲ぶお盆行事は、その伝統に則って祭壇を厳粛且つ華やかに飾り立てることによって故人やご先祖様を迎える日本古来の伝統行事として、従来より延々と営まれてきた。そして、かかる祭壇を飾りたてるものとして、真菰の敷物（茣蓙）や牛馬飾り、蓮葉飾りなどからなるお盆飾りが一般に用いられている。
【０００３】
ところで、近年に至っては、人々の生活様式も多様に様変わりしてきており、高齢化や核家族化が進む現代においては、犬や猫などの愛玩ペットが大切な家族の一員として受け入れられ、それに伴い人間家族と同様に丁重に弔い葬儀を行うことも社会的に浸透しつつある傾向となっている。
【０００４】
その様な社会的傾向に伴って、犬や猫などペットが亡くなった際に、そのペットのための葬祭やお墓の建立など葬祭行事を行うことも一般化してきて、社会的にも徐々に認識されるようになってきている。
【０００５】
当然のように、お盆行事においても、故人同様に生前可愛がったペットを供養したい、ペットの魂を故人同様に迎え入れたいとの願いが起きている。しかしながら、ペットの魂を迎えるにあたり、従前のお盆飾りと矛盾が生じるのは、牛馬飾りである。すなわち、牛馬飾りは、別名「精霊馬」と呼ばれることも多く、その本来的意義は、故人が馬に乗り荷物を牛が牽いて帰ってくるという説や、農耕動物である牛馬をお盆の時期に休ませるという説から飾られるもので、古来より茄子や胡瓜、真菰など種々素材により作られてきたものである。
【０００６】
上記意味合いからすれば、犬や猫などペットの魂が馬に乗って帰ってくるといのは違和感があり、また、ペットのお盆で農耕動物としての牛や馬を飾る関連性も存しない。かといって、お盆飾りの定番である牛馬飾りが無いのは寂しい限りである。総じて、遺族がその魂をお盆に安らかに迎えたいという思いを満たすことができるペット用のお盆飾りについては、未だ提供されていないのが現状である。
【０００７】
従来から、故人やペットを供養する提案としては、例えば、故人の写真又はペット類の写真を摺動石盤に焼き付けておき、台に差し込んで飾ることのできるお墓・仏壇用飾り台を提供する「お墓、仏壇用写真飾り台」（特許文献１参照）が提案されている。
【０００８】
しかしながら、上記「お墓、仏壇用写真飾り台」の提案は、お墓、仏壇用写真飾り台の材質は、墓用の石材、人造石材等であり、飾り台の裏面には、命日、戒名・法名、俗名を刻み込み、飾り台の摺動面の中央部には磁石を埋設し、その摺動石盤の裏面の中央部には磁石を埋設してなり、永久磁石の吸引力により、飾り台からの摺動石盤の脱落防止をすると共に摺動石盤の表側には、故人の写真又はペット類の写真を摺動石盤に焼き付けておき、法事、お盆、お彼岸等に、焼き付けた写真を飾り台に差し込んでの飾り台の最下段の中央部には紋章を設けてなる写真飾り台をお墓、仏壇にお供えして飾る現代風の供養手段であって、本考案のように伝統に則って祭壇を厳粛且つ華やかに飾り立てることにより、心を込めてなくなったペットを迎える日本古来の伝統行事による盆飾りの用品ではなかった。
【０００９】
また、収納性と運搬性に資すると共に、優れた安全性も併せ持つ「組立式真菰膳」（特許文献２参照）が提案されている。
【００１０】
しかしながら、上記「組立式真菰膳」の提案は、真菰により四角く編んだ棚材と、所要長さを有する二本の脚材と、脚材を抜差可能な中空路を有する一のパイプ材と、から成る真菰膳であって、棚板における一方の対角線上に一本の脚材をその両端部が棚板から突き出た状態で固定すると共に、棚板における他方の対角線上に一のパイプ材を前記固定された脚材と十字に交差させた状態で固定して成り、該パイプ材の中空路にもう一本の脚材を差し込み貫通させることで、真菰膳が完成されるもので、盆時期に墓前や家の角口等に設置される組立式の真菰膳の提案であって、本考案のように伝統に則って祭壇を厳粛且つ華やかに飾り立てることにより、心を込めてなくなったペットを迎える日本古来の伝統行事による盆飾りの用品ではなかった。
【００１１】
本出願人は、その年に亡くなって初盆を迎えるペットなど、遺族がその魂をお盆に安らかに迎えたいという思いを満たすことができるペット専用の盆飾りが未だ提供されていない現状に着目し、日本古来の風習に則った上で従来の盆飾りとは異なるペット用に特化した盆飾りを開発し、本考案にかかる「ペット型牛馬飾りとそれを使用したペット用盆飾りセット」の提案に至るものである。
【先行技術文献】
【特許文献】
【００１２】
【特許文献１】実用新案登録第３１４３２８２号公報
【特許文献２】実用新案登録第３１８５０２２号公報
【考案の概要】
【考案が解決しようとする課題】
【００１３】
本考案は、上記問題点に鑑み、盆飾り用品における牛馬飾りを犬や猫などのペットを模したペット型牛馬飾りと、それを使用したペット専用の盆飾りセットを提供することを課題とする。
【課題を解決するための手段】
【００１４】
上記課題を解決するため、本考案にかかるペット型牛馬飾りは、盆飾り用品において、精霊があの世とこの世を行き来する乗り物とされる牛馬飾りを、真菰（まこも）や精麻などの天然素材または化学繊維素材の何れかまたはその組み合わせによりペット型に成形した手段を採る。
【００１５】
また、本考案は、前記ペット型牛馬飾りに、首飾り帯または胴飾り帯が装着されて成る手段を採り得る。
【００１６】
さらに、本考案にかかるペット用盆飾りセットは、前記ペット型牛馬飾りに、敷物（茣蓙）が組み合わされた構成を採用する。
【００１７】
またさらに、本考案は、前記ペット用盆飾りセットに、蓮葉飾り、麻がら、真菰縄、精霊棚、かわらけ、線香、生花または造花、のうち一乃至複数が選択的に組み合わされた構成を採用し得る。
【考案の効果】
【００１８】
本考案にかかるペット型牛馬飾りによれば、犬や猫、ウサギなどの愛玩ペットに合わせて従来の牛馬飾りを各種ペット型に成形して成ることで、亡くなった愛玩ペットを日本古来の伝統行事に則って厳かに供養できる、といった優れた効果を奏する。
【００１９】
また、本考案にかかるペット型牛馬飾りによれば、首飾り帯や胴飾り帯を装着することで、犬や猫、ウサギなどの愛玩ペットの生前の容姿を思い浮かべつつ厳かに祀ることができる、といった優れた効果を奏する。
【００２０】
さらに、本考案にかかるペット用盆飾りセットによれば、前記ペット型牛馬飾りと敷物（茣蓙）を組み合わせ、さらに、蓮葉飾りや麻がら、真菰縄、精霊棚、かわらけ、線香、生花または造花のうち一乃至複数が選択的に組み合わされることで、お年寄り世代から若年層のペット愛好者にとって、手軽且つ安価にペット専用の盆飾りを揃えることができる、といった優れた効果を奏する。
【図面の簡単な説明】
【００２１】
【図１】本考案にかかるペット型牛馬飾りの第一の実施形態を示す説明図である。（実施例１）
【図２】本考案にかかるペット型牛馬飾りの第二の実施形態を示す説明図である。（実施例２）
【図３】本考案にかかるペット用盆飾りセットの第一の実施形態を示す説明図である。（実施例３）
【図４】本考案にかかるペット用盆飾りセットの第二の実施形態を示す説明図である。（実施例４）
【考案を実施するための形態】
【００２２】
本考案にかかるペット型牛馬飾り２１とそれを使用したペット用盆飾りセット２０は、盆飾り用品における精霊があの世とこの世を行き来する乗り物とされる牛馬飾りを、真菰（まこも）や精麻などの天然素材または化学繊維素材の何れかまたはその組み合わせによりペット型に成形したことを最大の特徴とする。
以下、本考案にかかるペット型牛馬飾り２１とそれを使用したペット用盆飾りセット２０の実施形態を、図面に基づき説明する。
【００２３】
尚、本考案にかかるペット型牛馬飾り２１とそれを使用したペット用盆飾りセット２０は、以下に述べる実施形態に限定されるものではなく、本考案の技術的思想の範囲内、すなわち同一の作用効果を発揮できる形状や寸法等の範囲内で適宜変更することができるものである。
【実施例１】
【００２４】
図１は、本考案にかかるペット型牛馬飾り２１の第一の実施形態を示す説明図であり、（ａ）はペット型牛馬飾り２１を犬型に成形した犬型牛馬飾り２１ａを示し、（ｂ）はペット型牛馬飾り２１を猫型に成形した猫型牛馬飾り２１ｂを示している。
【００２５】
すなわち、本実施形態にかかるペット型牛馬飾り２１は、盆飾り用品における精霊があの世とこの世を行き来する乗り物とされる牛馬飾りが、イネ科植物である真菰（まこも）や精麻、水草、竹ひごなどの天然素材または化学繊維素材の何れかまたはその組み合わせによりペット型に成形されて成る。
【００２６】
牛馬飾りは、別名「精霊馬」と呼ばれることも多く、古来においては茄子や胡瓜を使用して成形し祀っていたが、そのうち宗教性の高い真菰（まこも）や、神聖的な植物とされる精麻が使用されるようになり、本実施形態にかかるペット型牛馬飾り２１では、真菰（まこも）などのイネ科植物や精麻、水草、竹ひご等の天然素材あるいは化学繊維素材の何れかまたはその組み合わせにより常法に倣って成形される。
【００２７】
本実施形態にかかるペット型牛馬飾り２１は、従前の牛馬飾りをペット型に成形して成るものであるが、成形すべきペットの種類・種別・形態については特に限定するものではなく、飼われていた愛玩ペットの種類・種別・形態に合わせて適宜決定されるものである。例えば、図１（ａ）に示すような犬型に成形した犬型牛馬飾り２１ａとしたり、図１（ｂ）に示すような猫型に成形した猫型牛馬飾り２１ｂとしたり、図示されてはいないがウサギやハムスターといった他の動物型とするなど、亡くなった愛玩ペットの形態に見立てて成形される。
【００２８】
以上で構成される本実施形態にかかるペット型牛馬飾り２１は、生前のペットと過ごした日々を想い偲ぶことができ、従来の盆飾りでは成し得なかったペット供養を行うことができる。
【実施例２】
【００２９】
図２は、本考案にかかるペット型牛馬飾り２１の第二の実施形態を示す説明図であり、（ａ）はペット型牛馬飾り２１を犬型に成形した犬型牛馬飾り２１ａを示し、（ｂ）はペット型牛馬飾り２１を猫型に成形した猫型牛馬飾り２１ｂを示している。
【００３０】
本実施形態にかかるペット型牛馬飾り２１は、前記第一の実施形態にかかるペット型牛馬飾り２１に、首飾り帯２２または胴飾り帯２３を装着して形成されるもので、それ以外の構成態様については前記第一の実施形態と同様であるため、説明を省略する。
【００３１】
首飾り帯２２または胴飾り帯２３は、ペット型牛馬飾り２１を装飾する装身具として装着されるもので、その素材について特に限定はないが、ペット型牛馬飾り２１と同様、真菰（まこも）や精麻、水草、竹ひごなどの天然素材あるいは化学繊維素材の何れかまたはその組み合わせから成る。
【００３２】
以上で構成される本実施形態にかかるペット型牛馬飾り２１は、単に着飾るという意味合いではなく、生前ペットが使用していた首輪などの着用物をリメイクして装着させることで、ペットに対する愛着心をより一層想い偲ぶことができる。
【実施例３】
【００３３】
図３は、本考案にかかるペット用盆飾りセット２０の第一の実施形態を示す説明図である。
本実施形態にかかるペット用盆飾りセット２０は、前記第一または第二の実施形態にかかるペット型牛馬飾り２１に、敷物（茣蓙）２５が組み合わされて構成される。
【００３４】
敷物（茣蓙）２５は、例えば精霊棚２８（盆棚）の上に敷かれ、上にはペット型牛馬飾り２１と共に初物の野菜、果物などが供えられ、先祖の霊を迎える敷物として使用される。素材については特に限定はないが、例えばイネ科植物の真菰（まこも）やイグサ、精麻、水草、竹ひごなどの天然素材あるいは該天然素材を模した化学繊維素材の何れかまたはその組み合わせから成る。また、形状についても特に限定はなく、方形を含む多角形状や略円形状などが考え得る。なお、図面では、所用長さ，幅を有する方形に成形された一般的形状について示している。
【００３５】
尚、図面では、ペット型牛馬飾り２１と敷物（茣蓙）２５のほか、本実施形態における必須構成ではないが、蓮葉飾り２４と麻がら２６と真菰縄２７もセットとして組み合わせた構成を示している。これら各構成については、次の実施例４の中で説明する。
【００３６】
以上で構成される本実施形態にかかるペット用盆飾りセット２０は、敷物（茣蓙）２５の上に、亡くなったペットに見立てたペット型牛馬飾り２１と共にかつて好んで食べていた食べ物などをお供えするなどして供養することで、ペットと過ごした日々を想い偲び、従来の盆飾りでは成し得なかった飼い主の満足度を高めることができる。
【実施例４】
【００３７】
図４は、本考案にかかるペット用盆飾りセット２０の第二の実施形態を示す説明図である。
本実施形態にかかるペット用盆飾りセット２０は、前記第一の実施形態にかかるペット用盆飾り２０に、蓮葉飾り２４、麻がら２６、真菰縄２７、精霊棚２８、かわらけ２９、線香３０、生花または造花３１、のうち一乃至複数が選択的に組み合わされて構成される。
【００３８】
蓮葉飾り２４は、亡くなったペットへのお供え物を捧げるための敷物として使用されるもので、実物の蓮の葉を用いたり、あるいは、ビニールなどの合成樹脂や紙、木材などにより蓮の葉を象って成形される。
【００３９】
麻がら２６は、麻幹（あさがら）箸木（はしき）とも言われ、迎え火や送り火を焚く焚き火用として、また、お供え用の箸として使用されるものである。
【００４０】
真菰縄２７は、精霊棚２８（盆棚）の前や、周囲に立てた青竹に結び、捩ってある縄の間にほおずき、浦の穂、若布などを吊り下げて日除けのすだれとして使用されるものである。真菰縄２７との名称であるが、その素材は真菰（まこも）に限らず、その他のイネ科植物や精麻、水草などの天然素材あるいは該天然素材を模した化学繊維素材の何れかまたはその組み合わせでよく、これを縄状に捩ったものを使用すれば足りる。
【００４１】
精霊棚２８は、上に敷物（茣蓙）２５が敷かれる棚机であって、該敷物（茣蓙）２５を載せ得る大きさの机面を備えていれば足り、図面に示すような脚体の有無は問わず、脚体が有る場合でも該脚体の固定式と折り畳み式とを問うものではない。
【００４２】
かわらけ２９は、お供え物等を供えるための陶器製の白い小皿が使用される。
【００４３】
線香３０は、亡くなったペットを供養するために、そのままお供えしたり、あるいは焚いて燻らせるものであって、従前から一般に使用されている線香３０をそのまま使用すれば足りる。
【００４４】
生花または造花３１は、亡くなったペットを供養し祭壇を飾るためにお供えするもので、期間の経過にも変化しない造花がより好ましいが、お盆という短い期間にだけ飾られるものであることから生花でも問題ない。尚、花の種類については特に限定はないが、蓮の花などが一般的である。
【００４５】
なお、本実施形態においては、上記した蓮葉飾り２４、麻がら２６、真菰縄２７、精霊棚２８、かわらけ２９、線香３０、生花または造花３１の各構成要素について、一乃至複数が必要に応じて選択的に組み合わされて構成されるものであって、これら各構成要素を１セットとして全て揃える必要はない。図面では、説明の便宜上、これら各構成要素全てを揃えた場合について示している。
【００４６】
以上で構成される本実施形態にかかるペット用盆飾りセット２０は、飾り方やお供え物は地方により一部異なることから、その地方にあった組み合わせとするなど、構成要素を適宜選択・決定することが可能であり、ペットと過ごした日々を想い偲び、従来の盆飾りでは成し得なかった飼い主の満足度を高めることができる。
【産業上の利用可能性】
【００４７】
本考案にかかるペット型牛馬飾り２１とそれを使用したペット用盆飾りセット２０は、亡くなったペットのためのお盆を迎えたいという人の要求を満たすことができると共に、社会的にもペットのための盆送り行事が認知されるようになることによって、お盆産業の新たな市場開拓につながり、さらには、日本古来の伝統行事でもある「お盆行事」の活性化につながることが見込まれることから、本考案の産業上の利用可能性は極めて高いものと思料する。
【符号の説明】
【００４８】
２０    盆飾りセット
２１    ペット型牛馬飾り
２１ａ  犬型牛馬飾り
２１ｂ  猫型牛馬飾り
２２    首飾り帯
２３    胴飾り帯
２４    蓮葉飾り
２５    敷物（茣蓙）
２６    麻がら
２７    真菰縄
２８    精霊棚
２９    かわらけ
３０    線香
３１    生花または造花
【図１】
0003200295.tif 000003
【図２】
0003200295.tif 000004
【図３】
0003200295.tif 000005
【図４】
0003200295.tif 000006